(57)【要約】  本発明は、タバコの箱、およびタバコの箱のブランク、並びにこれらを接合した構成に関する。本発明によるタバコの箱は、直方柱に基づき、タバコを保管することが意図された保管空間、および後壁（２）上に配置された屈曲接合部（４７）によって保管部に接合されたヒンジ式蓋（１）を含む。上部ヒンジ式蓋（１）から独立してヒンジ付けされたフラップ（５）または（２５）あるいは（３８）を有する後壁（２）または内側前壁（３０）あるいは（４６）の間に形成された独立してアクセスすることができる追加の保管空間が箱の前部または後部に配置される。この箱は、箱の外側ブランクおよび内側ブランクからなり、この２つのブランクを接合した構成によって、箱の様々な変形形態を形成して、上部蓋（１）が蓋の閉位置に保持されても、独立してアクセスできる追加の保管空間を得ることができることを特徴とする。
2013538757.tif 000002
【特許請求の範囲】
【請求項１】
内側前部ブランクおよびケーシングのブランクを備えるとともに、上部ヒンジ式蓋から独立してヒンジ付けされたフラップを備えるタバコの箱であって、前部に配置された下前部フラップ（５）を含み、この下前部フラップ（５）は、前記上部ヒンジ式蓋（１）から独立して開放され、オーバープレス部（９）とともに、またはオーバープレス部を有さずに前記箱の外側ケーシングのブランクから直接得られ、前記箱の前記内側前部ブランクは、壁（２９）に対するオーバープレス部（４４および４５）および／または（３０、３５、および３４）を備えるか、またはオーバープレス部（４６）を備えず、前記２つのブランクを接合した形態を有することを特徴とする箱。
【請求項２】
前記前部に配置された前記下前部フラップ（５）が、前記上部ヒンジ式蓋（１）から独立してヒンジ付けされ、前記箱のケーシングの前記外側ブランクから直接得られ、外側側壁（１１、５１、６、および７、５２、６）を含み、および／または好ましくは透明もしくは半透明の材料で作製された要素を有し、単一もしくは二重の層であることを特徴とする、請求項１に記載の箱。
【請求項３】
前記箱の追加の前記側壁（１１、５１、および６）または（７、５２、および６）の折畳み後の、および／または側壁を有さない状態の、底壁（８）に接合された下部壁−前記箱の外側ケーシングのフラップ（５）の長さが、前記底壁（８）の前縁から前記上部ヒンジ式蓋（１）の前記前壁（１２）の下部前縁までの長さと等しい、またはそれよりも短いことを特徴とする、請求項１または２に記載の箱。
【請求項４】
前記前部に配置され、前記上部ヒンジ式蓋（１）から独立してヒンジ付けされ、前記箱のケーシングの前記外側ブランクから直接得られる前記下前部フラップ（５）が、好ましくは、外側に向けられたオーバープレス部（１）を含むことを特徴とする、請求項１から３のいずれかに記載の箱。
【請求項５】
前記前部に配置され、前記上部ヒンジ式蓋（１）から独立してヒンジ付けされ、前記箱のケーシングの前記外側ブランクから直接得られる前記下前部フラップ（５）が、透明または半透明の材料で作製された要素（９）を有さず、および／または有し、および／または前記要素が外側に向けてエンボス加工されることを特徴とする、請求項１から４のいずれかに記載の箱。
【請求項６】
前記前部に配置された前記下前部フラップ（５）を有する前記箱の前記内側前部ブランクの前記内側前壁（４６）が、前記壁（２９）に対する前記箱の内側および／または前記箱の外側に向けられたオーバープレス部を有さず、および／または１つのオーバープレス部（４４）または複数のオーバープレス部（３０、４５、および３４、３５）を有することを特徴とする、請求項１から５のいずれかに記載の箱。
【請求項７】
前記上部ヒンジ式蓋から独立してヒンジ付けされ前記前部に配置された前記下前部フラップを有する前記箱の前記内側前部ブランクの前記内側前壁および内側側壁が、前記独立してヒンジ付けされた前部蓋（５）がヒンジ付けされた後に前記箱の見える外側フランジ（４６）および（３０）を形成しない、および／または形成することを特徴とする、請求項１から６のいずれかに記載の箱。
【請求項８】
前記上部ヒンジ式蓋から独立してヒンジ付けされ前記前部に配置された前記下前部フラップを有する前記箱の前記内側前部ブランクの前記内側前壁および内側側壁が、前記独立してヒンジ付けされた下前部フラップ（５）をヒンジ式付けせずに前記箱の前記見える外側フランジ（４５）および（３４および３５）を形成しない、および／または形成することを特徴とする、請求項１から７のいずれかに記載の箱。
【請求項９】
前記内側ブランクの前記側壁（３３および３１）が前記外側ケーシングの前記側壁（４、２、２０）の下に配置され、または前記壁（２９）に対してエンボス加工された前記内側ブランクの前記側壁（３４）および（３５）が前記外側ケーシングの前記側壁（４、３、２０）上に配置されることを特徴とする、請求項１から８のいずれかに記載の箱。
【請求項１０】
前記上部ヒンジ式蓋から独立してヒンジ付けされ前記箱のケーシングの前記外側ブランクの前記下部から直接得られる前記前部に配置された前記下前部フラップ（５）と前記箱の前記内側前部ブランクの前記内側前壁（４６および３０）との間に前記上部ヒンジ式蓋から分離し独立した追加の保管空間が位置付けられることを特徴とする、請求項１から９のいずれかに記載の箱。
【請求項１１】
内側前部ブランクおよびケーシングのブランクを備えるとともに、上部ヒンジ式蓋から独立してヒンジ付けされたフラップを備えるタバコの箱であって、後部に配置された下後部フラップ（３８）を含み、この下後部フラップ（３８）は、前記上部ヒンジ式蓋（１）から独立してヒンジ付けされ、壁（２９）に対する前記箱の後部に向けられたオーバープレス部（３０、３５、３４）または１つのオーバープレス部（３０）とともに前記箱の前記内側前部ブランクから直接得られ、さらに、前記箱は、オーバープレス部（１６、１９、１５）とともに、またはオーバープレス部を有さない外側後部ケーシングの短縮されたブランクを含み、前記２つのブランクを接合した形態を有することを特徴とする箱。
【請求項１２】
前記後部に配置された前記下後部フラップ（５）が前記上部ヒンジ式蓋（１）から独立してヒンジ付けされ、前記箱の前記内側前部ブランクから直接得られ、前記箱の前記後部に向けられ、好ましくは外側側壁（４０および３９）または（５３および４３）を有さず（３８）、または有し、および／または前記箱の外側に向けられたオーバープレス部を有さず、または有し、および／またはカットアウトを有さず、または有し、および／または透明もしくは半透明の材料で作製された要素を有さず、または有し、前記壁（３８）が単一および／または二重の層であることを特徴とする、請求項１１に記載の箱。
【請求項１３】
前記下後部フラップの追加の側壁の折畳み後の、および／または側壁を有さない状態の、底壁（５０）に接合された前記箱の前記内側前部ブランクから直接得られる前記下後部フラップ（３８）の長さが、壁（１３）および／または前記底壁（８）の後縁から前記上部ヒンジ式蓋（１）の前記壁（４７）の屈曲接合部（４７）までの長さと等しい、またはそれよりも短いことを特徴とする、請求項１１または１２に記載の箱。
【請求項１４】
前記上部ヒンジ式蓋（１）から独立してヒンジ付けされ、前記箱の前記内側前部ブランクから直接得られ、前記箱の前記後部に向けられた、前記後部に配置された前記下後部フラップ（３８）が、外側に向けられたオーバープレス部を有さず、および／または前記オーバープレス部（４２）を有することを特徴とする、請求項１１から１３のいずれかに記載の箱。
【請求項１５】
前記上部ヒンジ式蓋（１）から独立してヒンジ付けされ、前記箱の前記内側前部ブランクから直接得られ、前記箱の前記後部に向けられた、前記後部に配置された前記下後部フラップ（３８）が、透明もしくは半透明の材料で作製された要素（４２）を有さず、および／または前記要素を有し、および／または前記要素が外側に向けてエンボス加工されることを特徴とする、請求項１１から１４のいずれかに記載の箱。
【請求項１６】
前記箱の前記内側前部ブランクの内側前壁が前記壁（２９）に対する１つのオーバープレス部（３０）または複数のオーバープレス部（３０、３４、３５）を含み、外側ケーシングの前記壁（３および２０）上に配置された前記壁（３４）および（３５）が前記箱の前記見える外側フランジ（３０、３４、３５）を形成し、または前記外側の箱のケーシングの前記壁（２０および３）の下に配置された前記壁（３４および３５）が前記箱の前記見えるフランジ（３０）を形成することを特徴とする、請求項１１から１５のいずれかに記載の箱。
【請求項１７】
前記箱の外側ケーシングのブランクの主保管部の主後壁（２）がオーバープレス部を有さず、または前記箱の内側に向けられた１つのオーバープレス部（１６）もしくは複数のオーバープレス部（１６、１９、１５）を有することを特徴とする、請求項１１から１６のいずれかに記載の箱。
【請求項１８】
前記上部ヒンジ式蓋（１）から独立してヒンジ付けされ、前記箱の前記内側前部ブランクから直接得られ、前記箱の前記後部に向けられた、前記後部に配置された前記下後部フラップ（３８）と新しい短縮された箱の外側後部ケーシング、前記外側ケーシングの主後中部壁（２）との間に保管空間が形成されることを特徴とする、請求項１１から１７のいずれかに記載の箱。
【請求項１９】
内側前部ブランクおよびケーシングのブランクを備えるとともに、上部ヒンジ式蓋から独立してヒンジ付けされたフラップを備えるタバコの箱であって、後部に配置された後部フラップ（５）を含み、この後部フラップ（５）は、前記上部ヒンジ式蓋（１）から独立してヒンジ付けされ、前記箱の外側ケーシングのブランクから直接得られ、オーバープレス部（１６、１９、１５）とともにまたはオーバープレス部（２）を有さずに底壁（８）上に配置された屈曲接合部（１７）によって前記箱の後部に向けて方向付けられ−折り返され、さらに、前記箱の前記内側前部ブランクは壁（２９）に対するオーバープレス部（３０、３４、３５）または１つのオーバープレス部（３）を備え、前記２つのブランクを接合した形態を有することを特徴とする箱。
【請求項２０】
前記後部に配置された前記下後部フラップ（５）が前記上部ヒンジ式蓋（１）から独立してヒンジ付けされ、前記箱の外側ケーシングのブランクの下部から直接得られ、前記底壁（８）に配置された前記屈曲接合部（１７）によって前記箱の前記後部に向かって逆方向に方向付けられ、（５）を有さず、および／または側壁（１１、５１、６）もしくは（７、５２、６）を有し、単一および／または二重の層であることを特徴とする、請求項１９に記載の箱。
【請求項２１】
前記底壁（８）に接合され、前記後部に向けて逆方向に方向付けられた前記箱のケーシングの前記外側ブランクの前記下部壁（５）の長さが、下部壁の追加の側壁（１１、５１、６）または（７、５２、６）が折りたたまれた後に、および／または側壁を有さない状態で、前記底壁（８）の後縁から前記上部ヒンジ式蓋（１）の前記後部屈曲接合部（４７）までの長さと等しい、またはそれよりも短いことを特徴とする、請求項１９または２０に記載の箱。
【請求項２２】
前記後部に配置された前記下後部フラップ（５）が前記上部ヒンジ式蓋（１）から独立してヒンジ付けされ、前記箱の外側ケーシングのブランクの前記下部から直接得られ、前記箱の前記後部に向けて逆方向に方向付けられ、カットアウト開口部（９）を有さず、もしくは有し、および／または（５）前記オーバープレス部を有さず、および／または外側に向けられた前記オーバープレス部を有することを特徴とする、請求項１９から２１のいずれかに記載の箱。
【請求項２３】
前記後部に配置された前記下後部フラップ（５）が前記上部ヒンジ式蓋（１）から独立してヒンジ付けされ、前記箱の前記後部に向けて逆方向に方向付けられた前記箱の外側後部ケーシングのブランクから直接得られ、（５）要素を有さず、または透明もしくは半透明の材料で作製された要素（９）を有し、および／または前記要素が外側に向けてエンボス加工されることを特徴とする、請求項１９から２２のいずれかに記載の箱。
【請求項２４】
前記箱の内側前部ブランクの前記内側前壁（３０）が前記内側前壁の外側側壁（２９、３４、３５、および３３、３１）並びに（５０）とともに前記箱の外側に向けられた前記壁（２９）に対する１つ（３０）または複数のオーバープレス部（３４、３０、３５）を含み、見える外側フランジ（３０）を形成し、または前記独立してヒンジ付けされた後部フラップを開放せずに前記内側前壁の側壁とともに前記箱の見えるフランジ（３４、３５、３０）を形成することを特徴とする、請求項１９から２３のいずれかに記載の箱。
【請求項２５】
前記箱の内側前部ブランクの前記内側前壁（３０）が前記外側の箱のケーシングの前記壁（２０、３）上に配置された側壁（３４および３５）を含むか、または前記外側ケーシングの前記ブランクの前記壁（２０、３）の下に配置された前記側壁（３０、３１）を有することを特徴とする、請求項１９から２４のいずれかに記載の箱。
【請求項２６】
前記箱の外側ケーシングのブランクの前記下部壁（５）が（５）を有さず、または外側壁（７、５２）を有し、および／またはオーバープレス部を有さず、もしくは有し、および／またはカットアウトを有さず、もしくは有し、および／または透明もしくは半透明の材料で作製された要素を有さず、もしくは有することを特徴とする、請求項１９から２５のいずれかに記載の箱。
【請求項２７】
前記箱の外側ケーシングのブランクの前記下部壁（５）の外側側縁が前記下部壁の接合された外側側壁の前記平行の外側壁（１１、５１、６）よりも長いことを特徴とする、請求項１９から２６のいずれかに記載の箱。
【請求項２８】
前記箱の外側ケーシングのブランクの前記主保管空間の前記主後壁（２）がオーバープレス部を有さず、または前記箱の内側に向けられたオーバープレス部（１６）および／または（１９）および／または（１５）を有することを特徴とする、請求項１９から２７のいずれかに記載の箱。
【請求項２９】
前記箱の外側ケーシングのブランクの前記下部壁（５）が、前記側壁（１１、５１、６）または（７、５２、６）を含み、前記側壁の合計面積が前記外側ケーシングのブランクの前記下部壁（５）の面積と等しい、またはそれよりも小さいことを特徴とする、請求項１９から２８のいずれかに記載の箱。
【請求項３０】
前記上部ヒンジ式蓋（１）から独立してヒンジ付けされ前記箱の外側ケーシングのブランクから直接得られ前記底壁（８）上に位置付けられた屈曲接合部（１７）によって前記箱の前記後部に向けられた前記後部に配置された前記下後部フラップ（３８）と前記後部ケーシング、前記箱の主中部壁（２）の間に別個の独立した追加の保管空間が形成されることを特徴とする、請求項１９から２９のいずれかに記載の箱。
【請求項３１】
内側前部ブランクおよびケーシングのブランクを備えるとともに、上部ヒンジ式蓋から独立してヒンジ付けされたフラップを備えるタバコの箱であって、後部に配置された後部フラップ（２５）を含み、この後部フラップ（２５）は、前記上部ヒンジ式蓋（１）から独立してヒンジ付けされ、後部の中部（２１）で二重になされた後壁並びにこの後壁及び前記箱のブランク−前記外側後部ケーシングの下部壁−下部フラップ（２５）の底壁に接合された底壁から直接得られ、オーバープレス部とともに、またはオーバープレス部を有さずに前記箱の前記後部に向けられ、さらに、前記箱は、前記内側前部ブランク−前記上部ヒンジ式蓋（１）の案内部としての接合された壁（５６）を有する内側中部ウィング（１８）を含むことを特徴とする箱。
【請求項３２】
前記後部に配置された前記下後部フラップ（２５）が前記上部ヒンジ式蓋（１）から独立してヒンジ付けされ、前記壁（２１）の前記中部の前記二重になされた主後壁（２）および前記壁に接合された前記底壁（２３）から直接得られ、前記底壁（２１）に接合された前記下部フラップ（２５）が前記箱の前記後部に向けられ、側壁を有さず、および／または側壁（５４、２７、２６）および（５５、２８、２６）を有し、単一層（２５）および／または二重層であることを特徴とする、請求項３１に記載の箱。
【請求項３３】
前記箱の外側ケーシングのブランクの前記主後壁（２）と前記主後壁（２）の横方向に二重になされた壁（２１）が共通の平行の突き出た壁（２０）によって互いに接合されることを特徴とする、請求項３１または３２に記載の箱。
【請求項３４】
前記箱の外側ケーシングのブランクの前記主後壁（２）が外縁を有する外側側壁（３、２０）を含み、前記側壁の長さが前記底壁（２３）の前縁から前記上部ヒンジ式蓋（１）の前記前壁（１２）の下部前縁までの長さと等しい、またはそれよりも短く、前記長さが前記二重になされた壁（２１）の長さと等しく、前記主後壁（２）の前記外側側壁（２０、３）の外縁および前記二重になされた壁（２１）の外側側壁（２２、２０）の外縁が平行に突き出ることを特徴とする、請求項３１から３３のいずれかに記載の箱。
【請求項３５】
前記外側ケーシングのブランクの前記下部壁、前記下部後壁の追加の側壁（５４、２７、２６）または（５５、２８、２６）の折畳み後の、および／または側壁を有さない状態での、前記箱のケーシングの前記二重になされた後壁（２１）の前記底壁（２３）に接合された前記箱の前記下部後壁（２５）の長さが前記底壁（２３）の後縁から前記上部ヒンジ式蓋（１）の前記壁の前記後部屈曲接合部（４７）までの長さと等しい、またはそれよりも短いことを特徴とする、請求項３１から３４のいずれかに記載の箱。
【請求項３６】
独立してヒンジ付けされた下後部フラップ（２５）がカットアウト開口部（２４）を有さず、または有し、および／またはオーバープレス部を有さず、および／または前記下後部フラップが前記後部に配置された後に外側に向けられた前記オーバープレス部（２４）を有し、透明もしくは半透明の材料で作製された要素を含み、および／または含まず、および／または前記要素が外側にエンボス加工されることを特徴とする、請求項３１から３５のいずれかに記載の箱。
【請求項３７】
前記箱の外側ケーシングのブランクの前記下部壁−前記箱の前記フラップ（２５）が前記側壁（５４、２７、２６）または（５５、２８、２６）を含み、前記側壁の合計面積が前記外側ケーシングのブランクの前記下部壁−前記フラップ（２５）の面積と等しい、またはそれよりも小さいことを特徴とする、請求項３１から３６のいずれかに記載の箱。
【請求項３８】
前記箱の外側ケーシングのブランクの前記下部壁−前記フラップ（２５）の外側側縁が下部壁の接合された外側側壁（５５、２８、２６）の平行の外縁よりも長いことを特徴とする、請求項３１から３７のいずれかに記載の箱。
【請求項３９】
前記箱の外側ケーシングのブランクの前記下部壁−前記フラップ（２５）が前記外側側壁（５４および２７）を有さず、もしくは有し、および／または前記オーバープレス部を有さず、あるいは有し、および／または前記カットアウトを有さず、もしくは有し、および／または透明もしくは半透明の材料で作製された前記要素を有さない、もしくは有することを特徴とする、請求項３１から３８のいずれかに記載の箱。
【請求項４０】
前記箱の外側ケーシングのブランクの主保管部の前記後壁（２）が前記箱の内側に向けられたオーバープレス部（１６、１９、１５）を有さない、または有することを特徴とする、請求項３１から３９のいずれかに記載の箱。
【請求項４１】
前記下後部フラップ（２５）を前記箱の前記後部に向けるための前記屈曲接合部が前記外側の箱のケーシングの前記底壁（２３）と壁（２５）の間に配置されることを特徴とする、請求項３１から４０のいずれかに記載の箱。
【請求項４２】
前記箱の変形形態の前記箱の前記内側前壁が、前記接合された壁（５６）とともに前記内側中部ウィング（１８）によって解釈されることを特徴とする、請求項３１から４１のいずれかに記載の箱。
【請求項４３】
前記上部ヒンジ式蓋（１）から独立してヒンジ付けされ、前記箱の外側ケーシングのブランクの前記後中部の壁（２１）に対して前記二重になされた主後壁（２）から直接得られ、前記箱の前記後部に向けられた前記下後部フラップ（２５）と前記箱の前記後部ケーシング、前記後部ケーシングの主後壁（２）との間に前記保管空間が形成されることを特徴とする、請求項３１から４２のいずれかに記載の箱。
【発明の詳細な説明】
【技術分野】
【０００１】
本発明は、上部ヒンジ式蓋から独立してヒンジ付けされたフラップを有するタバコの箱、タバコの箱のブランク、およびその構成システムに関する。
【背景技術】
【０００２】
米国特許第３，０１１，６３０号には、箱を開放したときにマッチが露出され、箱を閉鎖したときに、覆うカバーまたはフラップによってマッチが保護される、マッチと組み合わせたタバコの箱が開示されている。本発明の一実施形態では、箱の上部および箱の後部、底壁および側壁、並びに、マッチを保護するカバーが個々のカットアウトまたはブランクとして形成される。第２のブランクは、内側前壁板および内側側壁板を含む。第３のブランクは、外側前壁板および中間側壁板を含む。外側前壁板はマッチの束を保持して、外面に取り付けられたマッチの通常のユニットが形成されるようにする。第２と第３のブランクは接合され、第２のブランクは第３のブランクの上縁を超えて突き出る。こうした接合されたブランクはインサートを形成し、それによって主ブランクの開放前部を閉鎖する。マッチのユニットは、外側前壁に取り付けられ、マッチ用カバーによってカバーされる。
【０００３】
ポーランド特許出願第Ｐ３５５８３３号からタバコの箱およびそのブランクが知られている。この箱は、直方柱形状を有し、ヒンジ式蓋を有する。前記箱は、タバコを保管することが意図された保管部、および後壁上に配置された屈曲接合部によって保管部に接合されたヒンジ式蓋を含み、蓋の前壁は蓋の後壁よりも長く、蓋の側壁は斜傾している。箱は、保管部に追加の内側前壁が装備され、保管部の外側前壁がヒンジ式であり、ヒンジ式前壁と内側前壁の間に追加の保管空間があることを特徴とする。マッチはこの保管空間内に配置される。ヒンジ式外側前壁は、その縁部に沿って固定物質も有する。ヒンジ式外側前壁の縁部は箱の蓋の縁部の下に配置される。内側側壁の縁部は内側前壁に取り付けられる。内側側壁の縁部およびコーナ壁は内側前壁に取り付けられる。マッチはヒンジ式前壁に取り付けられる。マッチは内側前壁に取り付けられる。
【０００４】
ポーランド特許出願第Ｐ３７０１５２号から、直方柱形状を有し、タバコを保管することが意図された保管部を含む、ヒンジ式蓋を有するタバコの箱が知られている。ヒンジ式蓋は、後壁上に配置された屈曲接合部によって保管部に接合され、蓋の前壁は蓋の後壁よりも長く、蓋の側壁は傾斜している。前記保管部に追加の内側前壁が装備され、保管部の外側前壁はヒンジ式であり、ヒンジ式前壁と内側前壁の間に好ましくはマッチ、ライター、または他の物体用の追加の保管空間が形成される。外側前壁の端部はテーパが付けられ、箱の内部に向かって曲げられる。この箱は、内側前壁が、上下に配置され箱の内側に向けられた２つのオーバープレス部を有し、そのうちの内側前壁の下部のオーバープレス部が保管部を形成し、前壁が箱を作製するのと同じ材料で作製され、または前壁が透明もしくは半透明の材料で作製され、あるいは前壁が外側に向けられ、追加の保管空間を形成するオーバープレス部（１７）を有することを特徴とする。
【０００５】
最新式のものには、上部ヒンジ式蓋から独立して開放され、マッチまたはライターなどの物体を収容する追加の別個の保管空間を有する箱がないため、使用が不便であり、物体を追加の保管空間から出す間に、タバコを外に落としたり、濡らしたりする恐れがある。
【発明の概要】
【発明が解決しようとする課題】
【０００６】
したがって、本発明の目的は、箱の前部または後部に配置された、上部ヒンジ式蓋から独立して開放される追加の別個の保管空間を有するタバコの箱を得ることにある。
【課題を解決するための手段】
【０００７】
新規の箱、および箱の変形形態により、ユーザは別個の保管空間に自由にアクセスし、その内容物、および／または情報、たとえば、健康情報を使用してから、タバコがある保管空間への主上部蓋を開けることができるようになる。
【０００８】
本発明は、タバコの箱およびその変形形態に関し、ヒンジ式蓋−上部カバー、内側前壁から得られる外側フランジを含み、直方柱に基づく形状を有し、タバコを保管することが意図された保管部、および箱の前部または後部に配置された追加の保管部を含む。
【０００９】
タバコの箱は後壁上に配置された屈曲接合部によって保管部に接合されたヒンジ式蓋を含み、蓋の前壁は蓋の後壁よりも長く、蓋の側壁は斜傾している。前記保管部に、箱の外側フランジを形成する接合された前壁を有する追加の内側ブランクが設けられ、外側前壁／保管部の前下部フラップが上部ヒンジ式蓋から独立してヒンジ付けされ、独立してヒンジ付けされた前壁／前下部フラップと内側前壁の間に、オーバープリントまたは物体を配置するのに有利な追加の保管空間があり、または、箱は、上部ヒンジ式蓋から独立して開放される下後部フラップを有する箱の後部に形成された追加の保管空間を含む。前記独立してヒンジ付けされた下後部フラップは、細長く後方に向けられた箱の追加の下部前壁を有する箱の内側前部ブランクから得られる。したがって、追加の細長い下部前壁を有する内側前部ブランクは、箱の外側フランジを形成し、および／または箱の下部壁の下部外側ケーシングのブランクから得られ、裏返して後方に向けられ、および／または箱の下部の外側ケーシングの中部ブランクの二重部から得られ、後方に向けられる。
【００１０】
上部ヒンジ式蓋から独立して開放される、下方の前部または後部のフラップを有する箱は、内側前部ブランクおよびその下部の細長い壁がオーバープレス部を有さず、および／または１つまたは複数のオーバープレス部を有し、したがって、下部フラップをヒンジ付けせずに、または下部フラップをヒンジ付けした後に、下部フラップが箱の前部に配置されるか後部に配置されるかに関係なく、見える箱の外側フランジを形成し、かつ、箱の前部内側ブランクの内側前壁が底壁に直接取り付けられた追加の下部壁を有さない、および／または有することを特徴とする。
【００１１】
上部蓋から独立して開放される、下後部フラップを有する箱は、箱の中部後壁の外側ケーシングがオーバープレス部を有さず、および／または１つまたは複数のオーバープレス部を有し、したがって、箱の内側前部ブランクまたは外側ケーシングから直接得られる独立して開放される下後部フラップとともに追加の保管空間を形成することを特徴とする。有利には、箱の前部または後部上に配置された別個の保管部内に、オーバープリントまたは物体を配置することができ、この部分へのアクセスは上部蓋から独立して行われる。
【００１２】
箱は２つの部分、箱の外側ケーシングと箱の内側前部ブランクの接合構成によって形成される。
【００１３】
箱は、直方柱に基づく単純な設計、およびオーバープリントおよび情報のキャリアとしての追加の機能を有する上部ヒンジ式蓋から独立して開放される別個の追加の保管空間を含むことを特徴とする。
【００１４】
箱の外側ケーシングの特定の変形形態と箱の内側ブランクの特定の変形形態とが接合した構成により、前部または後部に配置された追加の保管空間を有する箱が形成される。
【００１５】
箱の外側ケーシングの特定の変形形態と箱の内側前壁／内側ウィングの変形形態とが接合した構成により、後部に配置された追加の保管空間を有する箱が形成される。
【００１６】
箱の内側前部ブランクまたは外側ケーシングから得られる、上部ヒンジ式蓋から独立してヒンジ付けされた下前部フラップは、箱の前部上に配置され、単一または二重の層である。
【００１７】
箱の内側前部ブランクまたは外側ケーシングから得られる、上部ヒンジ式蓋から独立してヒンジ付けされた下後部フラップは、箱の後部上に配置され、単一または二重の層である。
【００１８】
箱の内側前部ブランクまたは外側ケーシングから得られる、上部ヒンジ式蓋から独立してヒンジ付けされた下前部フラップは、箱の前部に配置され、外側に向けられたオーバープレス部を有さず、または有し、かつ単一または二重の層である。
【００１９】
箱の内側前部ブランクまたは外側ケーシングから得られる、上部ヒンジ式蓋から独立してヒンジ付けされた下後部フラップは、箱の後部に配置され、外側に向けられたオーバープレス部を有さず、または有し、かつ、単一または二重の層である。
【００２０】
箱の外側ケーシングの中部後壁は、オーバープレス部を有さない、および／または１以上のオーバープレス部を有する。
【００２１】
箱の内側前部ブランクの内側前中部壁は、オーバープレス部を有さない、および／または１以上のオーバープレス部を有する。
【００２２】
箱の外側ケーシングの下部壁−箱の内側前部ブランクまたは外側ケーシングから得られる後下部フラップは、外側側壁を有さず、または有し、外側側壁は、カットアウトを有さず、または有し、オーバープレス部を有さず、または有し、エンボスされた、もしくはエンボスされない透明もしくは半透明の材料で作製された要素を有さない、または有する。
【００２３】
箱の下部内側前壁−箱の内側前部ブランクまたは外側ケーシングから得られる下前部フラップは、外側側壁を有さず、または有し、外側側壁は、オーバープレス部を有さず、または有し、カットアウトを有さず、または有し、エンボスされた、もしくはエンボスされない透明もしくは半透明の材料で作製された要素を有さない、または有する。
【００２４】
箱の内側前部ブランクまたは外側ケーシングから得られる、上部ヒンジ式蓋から独立してヒンジ付けされた下前部フラップは、箱の前部上に配置され、単一と二重の層の両方の場合に、カットアウト開口部を有さない、または有する。
【００２５】
箱の内側前部ブランクまたは外側ケーシングから得られる、上部ヒンジ式蓋から独立してヒンジ付けされた下後部フラップは、箱の後部上に配置され、単一と二重の層の両方の場合に、カットアウト開口部を有さない、または有する。
【００２６】
箱の内側前部ブランクまたは外側ケーシングから得られる、上部ヒンジ式蓋から独立してヒンジ付けされた下前部フラップは、箱の前部上に配置され、単一と二重の層の両方の場合に、カットアウト開口部内に、透明または半透明の材料で作製された要素を有さない、または有する。
【００２７】
箱の内側前部ブランクまたは外側ケーシングから得られる、上部ヒンジ式蓋から独立してヒンジ付けされた下後部フラップは、箱の後部上に配置され、単一と二重の層の両方の場合に、カットアウト開口部内に、透明または半透明の材料で作製された要素を有さない、または有する。
【００２８】
箱の内側前部ブランクまたは外側ケーシングから得られる、上部ヒンジ式蓋から独立してヒンジ付けされた下前部フラップは、箱の前部上に配置され、単一層の場合に鋭い外縁を有し、二重層の場合に滑らかな外縁を有する。
【００２９】
箱の内側前部ブランクまたは外側ケーシングから得られる、上部ヒンジ式蓋から独立してヒンジ付けされた下部フラップは、箱の後部上に配置され、単一層の場合に鋭い外縁を有し、二重層の場合に滑らかな外縁を有する。
【００３０】
前部に向けられた箱の外側ケーシングは、箱の前部上に配置された、上部ヒンジ式蓋から独立してヒンジ付けされた下前部フラップを形成する。
【００３１】
内側前部ブランクは、見える箱の外側フランジを形成し、その下部前壁は追加的に細長くされ、後方に向けられ、箱の後部上に配置された上部ヒンジ式蓋から独立してヒンジ付けされた下後部フラップを形成する。
【００３２】
後方に向けられた箱の外側ケーシングの下部は、箱の後部上に配置された上部ヒンジ式蓋から独立してヒンジ付けられた下後部フラップを形成する。
【００３３】
箱の外側ケーシングは、追加の壁によって中部で二重になされ、外側ケーシングの追加の下部壁に接合され、壁の底部に接合され、後部に向けられ、箱の後部上に配置された上部ヒンジ式蓋から独立してヒンジ付けされた下後部フラップを形成する。
【００３４】
本発明は、上部蓋から独立してヒンジ付けされた前部または後部のフラップを有するタバコの箱を得るためのブランクおよびその変形形態にも関する。
【００３５】
上部蓋から独立してヒンジ付けされた前部または後部のフラップを有するタバコの箱を得るための、外側ケーシングのブランク（並びに内側前壁のブランク）は、タバコ用主保管部および後壁上に配置された屈曲接合部によって保管部に接合されたヒンジ式上部蓋を含み、上部蓋の前壁は蓋の後壁よりも長く、蓋の側壁は斜傾しており、長手方向に拡張された箱のブランク−外側ケーシング内に、蓋壁、すなわち前部、上部、および下部の壁、並びにそれらに接合された側壁を備え、主保管空間の後壁は後壁に接合された外側側壁とともに配置され、外側側壁の外縁は底壁の前縁から箱の閉位置の上部蓋の前壁の前部下縁までの長さと等しい、またはそれよりも短い長さを有し、および／または後壁に追加の外側壁−外側ウィングが取り付けられ、主保管部の後壁に底壁が接合され、底壁にブランクの下部壁が接合され、および／または下部壁−ブランクの下後部フラップに追加の外側側壁が接合され、および／または長手方向に拡張された箱のブランク−外側ケーシング内に、蓋壁、すなわち前部、上部、および下部の壁、並びにそれらに接合された側壁が配置され、平行の二重後壁とともに主保管部の後壁、並びに後壁に接合された外側側壁が配置され、外側側壁の外側側縁は底壁の前縁から箱の閉位置の上部蓋の前壁の前部下縁までの長さよりも長く、主後壁の反対側の外側側壁が平行に突き出ており、主保管空間の平行の二重後壁に１つの共通の壁によって主保管空間の後壁が接合される。
【００３６】
主保管空間の前記二重後壁は底壁に接合され、底壁は下部後壁−ブランクの下後部フラップに接合され、および／またはブランクの後壁は追加の外側側壁に接合される。
【００３７】
本発明による独立してヒンジ付けされたフラップを有するタバコの箱を得るための、箱の内側前部ブランク（並びに外側ケーシングのブランク）は、タバコ用主保管空間を含み、長手方向に展開された箱のブランク内に、上部ヒンジ式蓋用案内部として働く上部案内ウィングが直接得られる内側前壁を備える。内側前壁は外側側壁に直接当接し、および／またはそれに追加の下部壁が当接する。内側前壁に底壁が直接当接し、底壁に、追加の細長い下部壁−下部フラップが取り付けられ、または取り付けられず、および／または、底壁に外側側壁が接合され、この外側側壁の外側側縁は、底壁の前縁から箱の閉位置の上部ヒンジ式蓋の前壁の下部前縁までの長さよりも短く、前記底壁に接合された前記追加の細長い壁の長さは、その追加の側壁が折りたたまれた後、および／または、側壁を有さない状態で、底壁の後縁から上部ヒンジ式蓋の壁の後部屈曲接合部までの長さと等しい、またはそれよりも短い。
【００３８】
さらに、外側ケーシングのブランクは、箱のケーシングのブランクの前記底壁に接合された前記下部壁の長さ（高さ）が、その追加の側壁が折りたたまれた後、および／または、側壁を有さない状態で、独立してヒンジ付けされた前下部フラップを有する箱の変形形態では、底壁の前縁と箱の閉位置の上部ヒンジ式蓋の前壁の下部前縁の間の長さと等しく、またはそれよりも短く、および／または、後部に配置された独立してヒンジ付けされた後下部フラップを有する箱の変形形態では、底壁の後縁から上部ヒンジ式蓋の壁の後部屈曲接合部までの長さよりも短いことを特徴とする。
【００３９】
箱の外側ケーシングのブランクの下部壁は側壁を含み、側壁の合計面積は、こうした追加の外側壁を有さない状態での外側ケーシングのブランクの下部壁の面積と等しく、またはそれよりも小さい。
【００４０】
箱の外側ケーシングのブランクの下部壁の外縁は、下部壁の外側側壁の平行の外縁よりも長い。
【００４１】
箱の外側ケーシングのブランクの下部壁は、カットアウト開口部を有さず、または有し、および／または、その開口部内に透明もしくは半透明の材料で作製された要素が配置される。
【００４２】
箱の外側ケーシングのブランクの下部壁は、オーバープレス部を有さない、または有する。
【００４３】
箱の外側ケーシングのブランクの下部壁は、透明または半透明の材料で作製された要素を有さず、または有し、および／または、その要素をエンボス加工することができる。
【００４４】
箱の外側ケーシングのブランクの下部壁は、外側側壁を有さず、または有し、オーバープレス部を有し、および／またはオーバープレス部を有さず、および／またはカットアウトを有し、および／またはカットアウトを有さず、または、透明もしくは半透明の材料で作製された要素を有し、および／または、その要素をエンボス加工することができる。
【００４５】
箱の外側ケーシングのブランクの主保管部の後壁は、オーバープレス部を有さず、または箱の内側に向けられた１つ以上のオーバープレス部を有する。
【００４６】
次に、本発明による独立してヒンジ付けされたフラップを有するタバコの箱を形成するための、箱の前部内側ブランク（並びに外側ケーシングのブランク）は、タバコ用主保管空間を含み、長手方向に展開された箱のブランク内に、上部ヒンジ式蓋用案内部として働く上部案内ウィングが直接得られる内側前壁を備える。内側前壁は外側側壁に直接当接し、および／または、それに追加の下部壁が当接する。内側前壁に底壁が直接当接し、底壁に、追加の細長い下部壁−下部フラップが取り付けられ、または取り付けられず、および／または、底壁に外側側壁が接合され、さらに、外側側壁の外側側縁は、底壁の前縁から箱の閉位置の上部ヒンジ式蓋の前壁の下部前縁までの長さよりも短く、前記底壁に接合される前記追加の細長い壁の長さは、その追加の側壁が折りたたまれた後、および／または側壁を有さない状態で、底壁の後縁から上部ヒンジ式蓋の壁の屈曲接合部までの長さと等しい、またはそれよりも短い。
【００４７】
追加の細長い下部壁−箱の内側前壁のブランクの下方の前部または後部のフラップは側壁を備え、側壁の合計面積は下部壁の面積と等しい、またはそれよりも小さい。
【００４８】
追加の下部の細長い壁−箱の内側前壁のブランクの下方の前部または後部のフラップの外縁は、内側前壁のブランクの平行の外縁よりも長い。
【００４９】
追加の細長い下部壁−箱の内側前壁のブランクの下方の前部または後部のフラップは、カットアウト開口部を有さず、または有し、および／または、その中に透明もしくは半透明の材料で作製された要素が配置される。
【００５０】
追加の細長い下部壁−箱の内側前壁のブランクの下方の前部または後部のフラップは、オーバープレス部を有さず、または１つ以上のオーバープレス部を有する。
【００５１】
追加の細長い下部壁−箱の内側前壁のブランクの下方の前部または後部のフラップは、透明または半透明の材料で作製された要素を有さず、または有し、および／またはその要素をエンボス加工することができる。
【００５２】
追加の細長い下部壁−箱の内側前壁のブランクの下方の前部または後部のフラップは、外側側壁を有さず、または有し、オーバープレス部を有し、または有さず、カットアウトを有し、または有さず、および／または透明もしくは半透明の材料で作製された要素を有し、または有さず、その要素がエンボス加工される、またはエンボス加工されない。
【００５３】
内側前壁のブランク、その主前壁、および／またはその側壁は、オーバープレス部を有さず、または箱の内側に向けられた１以上のオーバープレス部を有する。
【００５４】
本発明によるタバコの箱を添付の図面および例でより正確に説明する。
【図面の簡単な説明】
【００５５】
前部に向けられた箱の外側ケーシングから得られる独立してヒンジ付けされた下前部フラップを有する箱の変形形態の図：
図１，４から１，７、図１，１１から１，１４、図１，２０から１，２３、図１，２７から１，３１、図１，３７から１，４０、図１，４４から１，４７、図１，５３から１，５６、図１，６０から１，６４は、箱の外側ケーシングから得られる独立して開放または閉鎖された下前部フラップ、および開放または閉鎖された上部ヒンジ式蓋を有する箱を示す不等角投影図である。
図１，２、図１，３、図１，１８、図１，１９、図１，３５、図１，３６、図１，５１、図１，５２は、展開または折畳み位置にある、様々な変形形態の内側前部ブランクを示す図である。
図１，８、図１，９、図１，１５、図１，１６、図１，２４、図１，２５、図１，３２、図１，３３、図１，４１、図１，４２、図１，４８、図１，４９、図１，５７、図１，５８、図１，６５、図１，６６は、様々な変形形態の外側ケーシングの展開されたブランクであって、それから下前部フラップが得られるブランクを示す図である。
図１，１、図１，１０、図１，１７、図１，２６、図１，３４、図１，４３、図１，５０、図１，５９は、独立してヒンジ付けされた下前部フラップを有する様々な変形形態の箱を示す側面図である。
箱の内側前部ブランクから得られ、後方に向けられた独立してヒンジ付けされた下後部フラップを有する箱の変形形態に関する図：
図２，６から２，８、図２，１３から２，１５、図２，２１から２，２３、図２，２８から２，３０、図２，３６から２，３８、図２，４３から２，４５、図２，５１から２，５３、図２，５８から２，６０、図２，６６から２，６８、図２，７３から２，７５、図２，８１から２，８３、図２，８８から２，９０、図２，９５から２，９７、図２，１０３から２，１０５、図２，１１１から２，１１３、図２，１１８から２，１２０は、箱の内側前部ブランクから得られ、開放または閉鎖された上部ヒンジ式蓋を有する、独立して開放または閉鎖された下後部フラップを有する箱を示す不等角投影図である。
図２，３から２，４、図２，１１から２，１２、図２，１８から２，１９、図２，２６から２，２７、図２，３３から２，３４、図２，４１から２，４２、図２，４８から２，４９、図２，５６から２，５７、図２，６３から２，６４、図２，７１から２，７２、図２，７８から２，７９、図２，８６から２，８７、図２，９３から２，９４、図２，１００から２，１０１、図２，１０８から２，１０９、図２，１１６から２，１１７は、下後部フラップが得られる、展開または折畳み位置にある、様々な変形形態の内側前部ブランクを示す図である。
図２，５、図２，２０、図２，３５、図２，５０、図２，６５、図２，８０、図２，１０２、図２，１１０は、様々な変形形態の短縮された外側ケーシングの展開されたブランクを示す図である。
図２，１から２，２、図２，９から２，１０、図２，１６から２，１７、図２，２４から２，２５、図２，３１から２，３２、図２，３９から２，４０、図２，４６から２，４７、図２，５４から２，５５、図２，６１から２，６２、図２，６９から２，７０、図２，７６から２，７７、図２，８４から２，８５、図２，９１から２，９２、図２，９８から２，９９、図２，１０６から２，１０７、図２，１１４から２，１１５は、独立してヒンジ付けされた下後部フラップを有する様々な変形形態の箱を示す側面図である。
箱の外側ケーシングから得られ、後方に向けられた、独立してヒンジ付けされた下後部フラップを有する箱の変形形態に関する図：
図３，５から３，９、図３，１６から３，２０、図３，２７から３，３１、図３，３８から３，４２、図３，４９から３，５３、図３，６０から３，６４、図３，７１から３，７５、図３，８２から３，８６は、箱の外側ケーシングから得られ、開放または閉鎖された上部ヒンジ式蓋を有する、独立して開放または閉鎖された下後部フラップを有する箱を示す不等角投影図である。
図３，３から３，４、図３，１４から３，１５、図３，２５から３，２６、図３，３６から３，３７、図３，４７から３，４８、図３，５８から３，５９、図３，６９から３，７０、図３，８０から３，８１は、展開または折畳み位置にある様々な変形形態の内側前部ブランクを示す図である。
図３，１０から３，１１、図３，２１から３，２２、図３，３２から３，３３、図３，４３から３，４４、図３，５４から３，５５、図３，６５から３，６６、図３，７６から３，７７、図３，８７から３，８８は、独立してヒンジ付けされた下後部フラップが得られる、様々な変形形態の外側ケーシングの展開されたブランクを示す図である。
図３，１から３，２、図３，１２から３，１３、図３，２３から３，２４、図３，３４から３，３５、図３，４５から３，４６、図３，５６から３，５７、図３，６７から３，６８、図３，７８から３，７９は、独立してヒンジ付けされた下後部フラップを有する様々な変形形態の箱を示す側面図である。
箱の後部外側ケーシングの中後部の二重部から得られ、後方に向けられた、独立してヒンジ付けされた下後部フラップを有する箱の変形形態に関する図：
図４，３から４，５、図４，１０から４，１２、図４，１６から４，１８、図４，２２から４，２４、図４，２８から４，３０、図４，３４から４，３６、図３４，４０から４，４２、図４，４６から４，４８は、箱の後部外側ケーシングの中後部の二重部から得られ、後方に向けられた、独立して開放または閉鎖された下後部フラップを有し、かつ開放または閉鎖された上部ヒンジ式蓋を有する箱を示す不等角投影図である。
図４，６は、内側ウィングが展開位置にある、内側前壁のブランクを示す図である。
図４，７、図４，１３、図４，１９、図４，２５、図４，３１、図４，３７、図４，４３、図４，４９は、独立してヒンジ付けされた下後部フラップが得られる、様々な変形形態の外側後部ケーシングのブランクを示す図である。
図４，１から４，２、図４，８から４，９、図４，１４から４，１５、図４，２０から４，２１、図４，２６から４，２７、図４，３２から４，３３、図４，３８から４，３９、図４，４４から４，４５は、独立してヒンジ付けされた下後部フラップを有する様々な変形形態の箱を示す側面図である。
【発明を実施するための形態】
【００５６】
図１，１から４，４９で示したように、本発明によるタバコの箱は、ヒンジ式蓋−上部カバー、および／または箱の内側前部ブランクから得られる外側フランジを含み、直方柱に基づく形状を有し、タバコ用保管部、および箱の前部または後部に配置された追加の別個の独立した保管部を備える。
【００５７】
タバコの箱は、後壁（２）上に配置された屈曲接合部（４７）によって保管部に接合されたヒンジ式蓋（１）を有し、蓋（１）の前壁（１２）は蓋の後壁よりも長く、蓋（１）の側壁（１２）は斜傾している。
【００５８】
図１，４から１，７、図１，１１から１，１４、図１，２０から１，２３、図１，２７から１，３１、図１，３７から１，４０、図１，４４から１，４７、図１，５３から１，５６、および図１，６０から１，６４で示した、前記変形形態の保管部には、箱の内側（４６）および／または外側のフランジ（４５、３０、３４、３５）を形成する、図１，２、図１，３、図１，１８、図１，１９、図１，３５、図１，３６、図１，５１、図１，５２で示した変形形態の箱の追加の内側ブランクが設けられ、図１，８、図１，９、図１，１５、図１，１６、図１，２４、図１，２５、図１，３２、図１，３３、図１，４１、図１，４２、図１，４８、図１，４９、図１，５７、図１，５８、図１，６５、図１，６６で示した変形形態の外側ケーシングから得られる、外側前壁−追加の保管部の下前部フラップ（５）は、上部ヒンジ式蓋（１）から独立して開放され、独立してヒンジ付けされた前壁−下前部フラップ（５）と内側前壁（４６）または（３０）の間に、オーバープリントまたは物体を配置するための追加の保管空間があり、および／または、箱は、図２，６から２，８、図２，１３から２，１５、図２，２１から２，２３、図２，２８から２，３０、および図２，３６から２，３８、図２，４３から２，４５、図２，５１から２，５３、図２，５８から２，６０、図２，６６から２，６８、図２，７３から２，７５、図２，８１から２，８３、図２，８８から２，９０、図２，９５から２，９７、図２，１０３から２，１０５、図２，１１１から２，１１３、および図２，１１８から２，１２０で示した、箱の後部上に形成され、箱の外側ケーシングの主中部後壁（２）および上部ヒンジ式蓋（１）から独立してヒンジ付けされた下後部フラップ（３８）によって形成された追加の保管部を備える。
【００５９】
図２，３、図２，４、図２，１１、図２，１２、図２，１８、図２，１９、図２，２６、図２，２７、図２，３３、図２，３４、図２，４１、図２，４２、図２，４８、図２，４９、図２，５６、図２，５７、図２，６３、図２，６４、図２，７１、図２，７２、図２，７８、図２，７９、図２，８６、図２，８７、図２，９３、図２，９４、図２，１００、図２，１０１、図２，１０８、図２，１０９、図２，１１６、および図２，１１７で示したように、前記独立してヒンジ付けされた下後部フラップ（３８）は、箱の内側前部ブランクから得られ、その追加の下部の細長い壁（３８）であり、後方に向けられる。したがって、前記箱の内側前部ブランクは、壁（３０）および／または壁（３０、３５、３４）によって箱の外側フランジを形成し、および／または、箱は、図３，５から３，９、図３，１６から３，２０、図３，２７から３，３１、図３，３８から３，４２、図３，４９から３，５３、図３，６０から３，６４、図３，７１から３，７５、および図３，８２から３，８６で示したように、箱の後部上に配置され、主中部後壁（２）および上部ヒンジ式蓋（１）から独立してヒンジ付けされた下後部フラップ（５）によって形成された追加の保管部を含む。
【００６０】
図３，１０、図３，１１、図３，２１、図３，２２、図３，３２、図３，３３、図３，４３、図３，４４、図３，５４、図３，５５、図３，６５、図３，６６、図３，７６、図３，７７、図３，８７、および図３，８８で示したように、前記独立してヒンジ付けされた下後部フラップ（５）は、箱ブランクの外側ケーシングから得られ、その追加の下部の細長い壁（５）であり、後方に向けられる。したがって、図３，３、図３，４、図３，１４、図３，１５、図３，２５、図３，２６、図３，３６、図３，３７、図３，４７、図３，４８、図３，５８、図３，５９、図３，６９、図３，７０、図３，８０、および図３，８１で示したように、前記箱の内側前部ブランクは、壁（３０）および／または壁（３０、３５、３４）によって箱の外側フランジを形成し、および／または、箱は、図４，３から４，５、図４，１０から４，１２、図４，１６から４，１８、図４，２２から４，２４、図４，２８から４，３０、図４，３４から４，３６、図３４，４０から４，４２、および図４，４６から４，４８で示したように、箱の後部上に配置され、主中部後壁（２）および上部ヒンジ式蓋（１）から独立してヒンジ付けされた下後部フラップ（２５）によって形成された追加の保管部を含む。
【００６１】
前記独立してヒンジ付けされた下後部フラップ（２５）は、図４，７、図４，１３、図４，１９、図４，２５、図４，３１、図４，３７、図４，４３、図４，４９で示したように、壁２および２１によって中部で二重になされた箱の外側ケーシング、およびその下後部フラップの追加の下部の細長い壁（２５）から得られ、後方に向けられる。かつ、箱の内部には、上部ヒンジ式蓋（１）用の案内部としての追加の壁（５６）を有する内側ウィング（１８）が配置される。
【００６２】
上部ヒンジ式蓋（１）から独立してヒンジ付けされた下方の前部または後部のフラップを有する箱は、図１，２、図１，３、図１，１８、図１，１９、図１，３５、図１，３６、図１，５１、図１，５２、図２，３、図２，４、図２，１１、図２，１２、図２，１８、図２，１９、図２，２６、図２，２７、図２，３３、図２，３４、図２，４１、図２，４２、図２，４８、図２，４９、図２，５６、図２，５７、図２，６３、図２，６４、図２，７１、図２，７２、図２，７８、図２，７９、図２，８６、図２，８７、図２，９３、図２，９４、図２，１００、図２，１０１、図２，１０８、図２，１０９、図２，１１６、図２，１１７、図３，３、図３，４、図３，１４、図３，１５、図３，２５、図３，２６、図３，３６、図３，３７、図３，４７、図３，４８、図３，５８、図３，５９、図３，６９、図３，７０、図３，８０、および図３，８１で示した内側前部ブランクが、オーバープレス部−壁（４６）を有さず、および／または１つのオーバープレス部−壁（２９）に接触する壁（３０）、または壁（２９）に接触する複数のオーバープレス部（４４）および／または（４５）および／または（３０、３４、３５）を有し、したがって、下部フラップが箱の前部に配置されるか後部に配置されるかとは関係なく、下部フラップを開放せずに、またはフラップを開放した後に、見える箱の外側フランジを形成することも特徴とする。
【００６３】
同時に、箱は、図３，ｌから３，８８で示した変形形態について、内側前壁（３０）が底壁（５０）に直接接合された追加の下部壁を有さず、および／または図２，ｌから２，１２０で示した変形形態について、箱は、底壁（５０）に直接接合された追加の下部壁（３８）を有し、かつ、図１，１から１，６６、および図３，ｌから３，８８で示した変形形態について、箱の外側ケーシングは底壁（８）に接合された追加の下部壁（５）を有することを特徴とする。
【００６４】
上部ヒンジ式蓋（１）から独立してヒンジ付けされた下後部フラップ（３８）または（５）あるいは（２５）を有する、図２，１から２，１２０、図３，ｌから３，８８、図４，１から４，４９で示した変形形態についての箱は、箱の外側ケーシング（図２，５、図２，２０、図２，３５、図２，５０、図２，６５、図２，８０、図２，１０２、図２，１１０、図３，３、図３，４、図３，１４、図３，１５、図３，２５、図３，２６、図３，３６、図３，３７、図３，４７、図３，４８、図３，５８、図３，５９、図３，６９、図３，７０、図３，８０、図３，８１、図４，７、図４，１３、図４，１９、図４，２５、図４，３１、図４，３７、図４，４３、および図４，４９）、より正確には箱の主中部後壁（２）が、オーバープレス部を有さず、および／または１つのオーバープレス部（１６）、または複数のオーバープレス部（１５）、（１９）を有し、下部の細長い壁（３８）または（５）もしくは（２５）が独立してヒンジ付けされた下後部フラップを形成し、壁（２）とともに追加の保管空間を形成することを特徴とする。箱の後壁（２）上に配置された保管部は下後部フラップ（５、３８、および２５）のための閉鎖線（１４）を有する。
【００６５】
上部ヒンジ式蓋から分離し、独立し、箱の前側または後側に形成される保管部は、オーバープリントまたは物体を配置するのに有利である。
2013538757.tif 000003
2013538757.tif 000004
2013538757.tif 000005
2013538757.tif 000006
2013538757.tif 000007
2013538757.tif 000008
2013538757.tif 000009
2013538757.tif 000010
2013538757.tif 000011
2013538757.tif 000012
2013538757.tif 000013
2013538757.tif 000014
2013538757.tif 000015
2013538757.tif 000016
2013538757.tif 000017
2013538757.tif 000018
2013538757.tif 000019
2013538757.tif 000020
2013538757.tif 000021
2013538757.tif 000022
2013538757.tif 000023
2013538757.tif 000024
2013538757.tif 000025
2013538757.tif 000026
2013538757.tif 000027
2013538757.tif 000028
2013538757.tif 000029
2013538757.tif 000030
2013538757.tif 000031
2013538757.tif 000032
2013538757.tif 000033
2013538757.tif 000034
2013538757.tif 000035
2013538757.tif 000036
2013538757.tif 000037
2013538757.tif 000038
2013538757.tif 000039
2013538757.tif 000040
2013538757.tif 000041
2013538757.tif 000042
【国際調査報告】
2013538757.tif 000043
2013538757.tif 000044